(57)【要約】【課題】胴縁の熱伸縮を吸収できるとともに胴縁に傷が付くのを防止できるフェンスを提供する。【解決手段】本発明のフェンス１は、支柱３と、胴縁７と、支柱３と胴縁７とを繋ぐ連結具１１とを備え、連結具１１は、支柱３に固定してあり且つ胴縁７側が開口する中空部２３を有する呑み込み具１７と、呑み込み具１７の中空２３内に設けて胴縁の支柱側端部１９を呑み込み具１７の内壁面から離して保持する保持具２１とを備え、保持具２１は一端部２１ａを水平軸２７により呑み込み具１７に軸着してあり、他端部２１ｂを水平軸２９により胴縁の端部１９に軸着してある。【選択図】      図１
2004232279.tif 000002
【特許請求の範囲】
【請求項１】
支柱と、胴縁と、支柱と胴縁とを繋ぐ連結具とを備え、連結具は、支柱に固定してあり且つ胴縁側が開口する中空部を有する呑み込み具と、呑み込み具の中空内に設けて胴縁の支柱側端部を中空内に保持する保持具とから成り、保持具は一端部を水平軸により呑み込み具に軸着してあり、他端部を水平軸により胴縁の端部に軸着してあることを特徴とするフェンス。
【請求項２】
保持具は縦断面が略く字形状を成していることを特徴とする請求項１に記載のフェンス。
【発明の詳細な説明】
【０００１】
【発明の属する技術分野】
本発明は、フェンスに関する。
【０００２】
【従来の技術】
特許文献１には、支柱と胴縁を連結具で繋いだ技術が開示されている。この特許文献１に開示の技術では、連結具は支柱に固定した呑み込み具を備えており、胴縁の支柱側端部を呑み込み具の開口から中空内に挿入して、呑み込み具と胴縁の端部とを水平軸により軸着して、胴縁を上下に回動可能にしている。
【０００３】
【特許文献１】
特開平１０−２０５１７５号公報
【０００４】
【発明が解決しようとする課題】
しかし、胴縁に熱による伸縮が生じた場合には、上述の公報に開示の技術では、水平軸は呑みこみ具と胴縁とに軸着しているので、胴縁の熱伸縮を吸収することができず、フェンスに歪みや損傷を生じるおそれがある。
一方、支柱に固定した呑み込み具に胴縁の長手方向に長い長穴を設け、胴縁の端部を長穴にボルト止めすることにより、胴縁の熱伸縮を吸収することが考えられるが、胴縁と呑みこみ具とをボルト止めした場合には、胴縁に熱伸縮が生じたときに胴縁が呑み込み具に擦れて傷が付き、この傷が外観を害するとともに腐食の原因になるという問題がある。
そこで、本発明は、胴縁の熱伸縮を吸収できるとともに胴縁に傷が付くのを防止できるフェンスの提供を目的とする。
【０００５】
【課題を解決するための手段】
請求項１に記載の発明は、支柱と、胴縁と、支柱と胴縁とを繋ぐ連結具とを備え、連結具は、支柱に固定してあり且つ胴縁側が開口する中空部を有する呑み込み具と、呑み込み具の中空内に設けて胴縁の支柱側端部を中空内に保持する保持具とから成り、保持具は一端部を水平軸により呑み込み具に軸着してあり、他端部を水平軸により胴縁の端部に軸着してあることを特徴とする。
【０００６】
この請求項１に記載の発明では、胴縁に熱伸縮が生じると、呑み込み具の中空内では、保持具の他端部に軸着してある胴縁の端部が胴縁の長手方向に相対移動し、胴縁の端部は呑み込み具に軸着した水平軸を中心とする円弧軌道に沿って斜めに移動して、胴縁の熱伸縮を吸収する。
胴縁の端部は、水平軸により保持具の他端部に軸着してあるとともに保持具は一端部を水平軸により呑み込み具に軸着してあるので、胴縁が熱伸縮した場合に、呑み込み具の中空内を呑み込み具の水平軸を中心にした円弧軌道を相対移動するから、胴縁端部が呑み込み具に擦れて傷付くことを防止できる。従って、傷による腐食を防止できると共に、胴縁が熱収縮して胴縁端部が呑み込み具の開口から外に出た場合に傷が露出して外観を害することを防止できる。
胴縁の端部は、熱伸縮が生じた場合には、呑み込み具に軸着した水平軸を中心とする円弧軌道を相対移動するので、直線移動する場合に比較して相対移動する水平距離を小さくでき、その分呑み込み具を小型にできる。
【０００７】
請求項２に記載の発明は、請求項１に記載の発明において、保持具は縦断面が略く字形状を成していることを特徴とする。
【０００８】
この請求項２に記載の発明では、請求項１に記載の発明と同様な作用効果を奏するとともに、保持具は縦断面を略く字形状としているので、例えば、縦断面略コ字にする場合に比較して、保持具が呑み込み具の中空内を占める空間を小さくでき、呑み込み具の小型化を図ることができる。
【０００９】
【発明の実施の形態】
以下に、添付図面を参照して本発明の実施の形態を説明するが、まず図１〜図３を参照して、本発明の第１実施の形態について説明する。図１は発明の第１実施の形態にかかるフェンスの図であり、（ａ）は（ｂ）に示すＡ部の拡大図であり、（ｂ）はフェンスの正面図であり、図２は図１（ａ）のＢ−Ｂ断面図であり、図３は図１（ａ）のＣ−Ｃ断面図である。
本実施の形態にかかるフェンス１は、一方の支柱３と、他方の支柱５と、これら支柱３、５間に連結された上下の胴縁７、７と、一方の支柱３と各胴縁７とを繋ぐ連結具１１とを備えている。上下の胴縁７、７には縦格子９が上下に掛け渡されている。尚、一方の支柱３の隣には門扉１３が設けられており、一方の支柱３は門扉１３の戸当りを兼ねている。
連結具１１は、一方の支柱（以下、単に「支柱」という）３にネジ固定した呑み込み具１７と、保持具２１とから構成されている。本実施の形態では、胴縁７の端には、胴縁に挿入具１２がネジ固定されており、この挿入具１２が胴縁の端部１９になっている。
呑み込み具１７には中空部（以下、単に「中空」という）２３が形成されており、胴縁７側に中空２３の開口２５が形成されており、中空２３内に胴縁の端部１９が開口２５から挿入されている。
保持具２１は、一端部（上端部）２１ａが水平軸２７により呑み込み具１７に軸着されている。即ち、水平軸２７は保持具２１と呑み込み具１７に挿通されており、胴縁７の端部１９は水平軸２７を中心にした円弧軌道を移動自在に取り付けられている。保持具２１の他端部（下端部）２１ｂは、水平軸２９により胴縁７の端部１９に軸着されている。即ち、水平軸２９は保持具２１と胴縁７の端部１９とに挿通されており、水平軸２９は胴縁１７の端部１９と保持具２１とに対して回動自在である。
保持具２１は、本実施の形態では、縦断面が略く字形状の一つの部材であり、保持具２１に挿入具１２の支柱側端面が対面しており且つく字を形成する凹みに挿入具１２の先端部が配置されている。
尚、他方の支柱５には、胴縁７の端部１９がフェンス１の背面側から正面側に挿通したボルトで軸着されており、胴縁７がボルトを中心にして上下方向に回動可能に取り付けられている。
【００１０】
次に、本実施の形態にかかるフェンス１の作用について説明する。胴縁７が熱伸びすると、胴縁７の端部１９が支柱３側に水平方向に相対移動しようとするが、保持具２１の一端部２１ａが水平軸２７により呑み込み具１７に軸着されているので、保持具２１の他端部２１ｂに水平軸２９により軸着された胴縁の端部１９は、呑み込み具１７の水平軸２７を中心とする円弧軌道を移動して、熱伸びを吸収する。
胴縁７の熱伸びを吸収することにより、胴縁７の熱伸びによるフェンス１に歪みが生じることを防止できる。特に、本実施の形態では、支柱３に隣接して門扉１３が設けられているが、胴縁７の熱伸びにより門扉１３の戸当りを兼用する支柱３が傾いて門扉１３の開閉を阻害するということを防止できる。
胴縁の端部１９は、呑み込み具１７に挿通した水平軸２７を中心にした円弧軌道を回動し、結果的に斜め上方に相対移動するので、水平方向の移動距離を小さくでき、呑み込み具１７を小型にできる。
胴縁７の端部１９は、胴縁７に熱伸縮があった場合には、呑み込み具１７の中空２３内で、呑み込み具１７に軸着した水平軸２７を中心とする円弧軌道を相対移動するから、胴縁７が熱伸びした場合に、呑み込み具１７に擦れて傷付くことがない。また、胴縁７の熱伸びによる傷が生じないので傷による腐食も防止できる。
同様に、胴縁７に熱収縮が生じた場合にも呑み込み具１７に擦れて傷付くことを防止でき、傷が外部に露出して外観を損なうことがない。
保持具２１は、水平軸２７、２９の各両端部に挿通しているので、胴縁７の熱収縮が生じた場合に、水平軸２７、２９の両端部における捩れを防止できる。例えば、呑み込み具１７の水平軸２７と胴縁の端部１９の水平軸２９との各軸の両側端部にそれぞれ別の保持具を挿通する場合に比較して、本実施の形態では水平軸２７、２９のねじれが生じ難い。水平軸のねじれが生じると熱収縮を確実に吸収できなくなるおそれがある。
更に、保持具２１を一部材としているので部品点数を少なくできる。
また、本実施の形態では、保持具２１の縦断面は略く字形状としているので、例えば、縦断面を略コ字にした場合に比較して、保持具２１が呑み込み具１７の中空２３を締める空間を小さくでき、これにより呑み込み具１７の小型化を図ることができる。
【００１１】
次に、本発明の第２実施の形態について説明するが、以下に説明する実施の形態において、上述した実施の形態と同一の作用効果を奏する部分には同一の符号を付することにより、その部分の詳細な説明を省略し、上述した実施の形態と異なる点を主に説明する。
この第２実施の形態では、保持具２１を２つ用い、呑み込み具１７に挿通した水平軸２７と胴縁７の端部１９に挿通した水平軸２９との各軸の両端部にそれぞれ保持具２１を挿通して、保持具２１で呑み込み具１７と胴縁の端部１９とを軸着したものである。
この第２実施の形態においても、上述した実施の形態と同様に熱伸縮を吸収することができると共に、胴縁７が熱伸びした場合に、呑み込み具１７の中空２３内に、呑み込み具１７に軸着した水平軸２７を中心とする円弧軌道を相対移動するから、胴縁端部が呑み込み具１７に擦れて傷付くのを防止できる。
また、胴縁７に熱伸縮が生じた場合には、胴縁端部１９は呑み込み具１７に軸着した水平軸２７を中心にする円弧軌道を移動するから、水平方向の移動距離を小さくでき、呑み込み具１７を小さくできる。
【００１２】
本発明は、上述した実施の形態に限らず、本発明の要旨を逸脱しない範囲で種々変形可能である。
例えば、胴縁７の端部１９には挿入具１２設けることに限らず、挿入具１２を取り付けずに胴縁７に水平軸２９を直接軸着するものであってもよい。
縦断面が略く字形状の保持具２１は、縦断面が円弧形状のものであっても良い。
保持具２１は、一端部２１ａを胴縁の端部１９に水平軸２７で軸着し、他端部２１ｂを呑み込み具１７に水平軸２９で軸着してもよい。
【００１３】
【発明の効果】
請求項１に記載の発明によれば、胴縁に熱伸縮が生じると、胴縁の端部は呑み込み具に軸着した水平軸を中心とする円弧軌道に沿って斜めに移動することにより、胴縁の熱伸縮を吸収することができる。
胴縁の端部は、胴縁が熱伸縮した場合に、呑み込み具の中空内を呑み込み具の水平軸を中心にした円弧軌道を相対移動するから、胴縁端部が呑み込み具に擦れて傷付くことを防止できる。従って、傷による腐食を防止できると共に、胴縁が熱収縮して傷が露出して外観を害することを防止できる。
胴縁端部は、熱伸縮が生じた場合には、上部の水平軸を中心とした円弧軌道を相対移動するので、直線移動する場合に比較して相対移動する水平距離を小さくでき、その分呑み込み具を小型にできる。
【００１４】
この請求項２に記載の発明によれば、請求項１に記載の発明と同様な効果を奏するとともに、保持具は縦断面を略く字形状としているので、例えば、縦断面略コ字にする場合に比較して、保持具が呑み込み具の中空内を占める空間を小さくでき、呑み込み具の小型化を図ることができる。
【図面の簡単な説明】
【図１】発明の第１実施の形態にかかるフェンスの図であり、（ａ）は（ｂ）に示すＡ部の拡大図であり、（ｂ）はフェンスの正面図である。
【図２】図１（ａ）のＢ−Ｂ断面図である。
【図３】図１（ａ）のＣ−Ｃ断面図である。
【図４】第２実施の形態にかかるフェンスの胴縁と支柱との連結部分を図１（ａ）と同様に拡大して示す正面図である。
【図５】図４のＥ−Ｅ断面図である。
【符号の説明】
１      フェンス
３      支柱（一方の支柱）
７      胴縁
１１    連結具
１７    呑み込み具
１９    胴縁の端部
２１    保持具
２１ａ  一端部
２１ｂ  他端部
２３    中空部
２５    開口
２７    水平軸（呑み込み具の水平軸）
２９    水平軸（胴縁の端部の水平軸）
【図１】
2004232279.tif 000003
【図２】
2004232279.tif 000004
【図３】
2004232279.tif 000005
【図４】
2004232279.tif 000006
【図５】
2004232279.tif 000007